(57)【要約】【課題】個人情報を他人から見えない場所に確保する一方で、外出時における病気や事故等の緊急事態に、緊急事態に遭遇した者の個人情報を医者等の医療機関関係者等に提示できる技術を提供し、また、緊急事態に遭遇した者の位置情報を警備会社や救急サービスを行う会社等に連絡でき、また、緊急事態に遭遇した者の緊急連絡先に連絡できる技術を提供する。【解決手段】通信端末から送信されたユーザの認証情報を受信し、受信した認証情報が適切であるか否かを判定し、判定した判定結果を通信端末に送信し、通信端末から個人情報の送信要求を受信し、受信した送信要求にしたがって認証情報と個人情報とを記憶する装置から認証情報に対応する個人情報を読み取り、読み込んだ個人情報を送信する。【選択図】図１
2007034798.tif 000002
【特許請求の範囲】
【請求項１】
互いに通信可能な通信端末とサーバとを有するレスキュー情報システムにおいて、
前記通信端末は、
ユーザによって認証情報が入力される入力部と、
前記入力部で入力された前記認証情報を前記サーバに送信し、送信した前記認証情報が適切であるか否かの判定結果を前記サーバから受信する確認部と、
前記確認部による前記判定結果として前記認証情報が適切であると判定されていたとき、前記認証情報に対応する個人情報の送信要求を前記サーバに送信し、送信された前記送信要求の応答として、前記個人情報を前記サーバから受信する個人情報取得部と、
前記個人情報取得部によって取得された前記個人情報を出力する出力部とを有し、
前記サーバは、
前記ユーザの前記認証情報と前記個人情報とを記憶する記憶部と、
前記通信端末から送信された前記認証情報を受信し、受信した前記認証情報が適切であるか否かを判定し、判定した判定結果を前記通信端末に送信する判定部と、
前記通信端末から前記個人情報の前記送信要求を受信し、前記送信要求にしたがって前記記憶部から前記認証情報に対応する前記個人情報を読み取り、読み込んだ前記個人情報を送信する個人情報送信部と、
を有するレスキュー情報システム。
【請求項２】
ユーザによって認証情報が入力される入力部と、
前記入力部で入力された前記認証情報をサーバに送信し、送信した前記認証情報が適切であるか否かの判定結果を前記サーバから受信する確認部と、
前記確認部による前記判定結果として前記認証情報が適切であると判定されていたとき、前記認証情報に対応する個人情報の送信要求を前記サーバに送信し、送信された前記送信要求の応答として、前記個人情報を前記サーバから受信する個人情報取得部と、
前記個人情報取得部によって取得された前記個人情報を出力する出力部と、
を有するレスキュー情報通信端末。
【請求項３】
ユーザの認証情報と前記ユーザの個人情報とを記憶する記憶部と、
通信端末から送信された前記認証情報を受信し、受信した前記認証情報が適切であるか否かを判定し、判定した判定結果を前記通信端末に送信する判定部と、
前記通信端末から前記個人情報の前記送信要求を受信し、前記送信要求にしたがって前記記憶部から前記認証情報に対応する前記個人情報を読み取り、読み込んだ前記個人情報を送信する個人情報送信部と、
を有するレスキュー情報サーバ。
【請求項４】
ユーザによって認証情報が入力される入力ステップと、
前記入力ステップで入力された前記認証情報をサーバに送信し、送信した前記認証情報が適切であるか否かの判定結果を前記サーバから受信する確認ステップと、
前記確認ステップによる前記判定結果として前記認証情報が適切であると判定されていたとき、前記認証情報に対応する個人情報の送信要求を前記サーバに送信し、送信された前記送信要求の応答として、前記個人情報を前記サーバから受信する個人情報取得ステップと、
前記個人情報取得部によって取得された前記個人情報を出力する出力ステップと、
を実行するレスキュー情報通信方法。
【請求項５】
通信端末から送信されたユーザの認証情報を受信し、受信した前記認証情報が適切であるか否かを判定し、判定した判定結果を前記通信端末に送信する判定部と、
前記通信端末から個人情報の前記送信要求を受信し、前記送信要求にしたがって前記認
証情報と前記個人情報とを記憶する装置から前記認証情報に対応する前記個人情報を読み取り、読み込んだ前記個人情報を送信する個人情報送信ステップと、
を実行するレスキュー情報サーバ上の通信方法。
【請求項６】
互いに通信可能な通信端末とサーバとを有するレスキュー情報システムにおいて、
前記通信端末は、
ユーザによって認証情報が入力される入力部と、
前記入力部により入力された前記認証情報を前記サーバに送信し、送信した前記認証情報が適切であるか否かの判定結果を前記サーバから受信する確認部と、
前記確認部による前記判定結果として前記認証情報が適切であると判定されていたとき、前記通信装置の位置情報を前記サーバに送信する位置情報送信部とを有し、
前記サーバは、
前記ユーザの前記認証情報と前記認証情報に対応するユーザの個人情報とを記憶する記憶部と、
前記通信端末から送信された前記認証情報を受信し、受信した前記認証情報が適切であるか否かを判定し、判定した判定結果を前記通信端末に送信する判定部と、
前記通信端末から前記位置情報を受信する位置情報受信部と、
前記受信部で受信した前記位置情報を救急用通信装置に送信する第１の送信部と、
前記記憶部から前記認証情報に対応する前記個人情報を読み出し、読み出した前記個人情報を緊急連絡先通信装置に送信する第２の送信部と、
を有するレスキュー情報システム。
【請求項７】
ユーザによって認証情報が入力される入力部と、
前記入力部により入力された前記認証情報をサーバに送信し、送信した前記認証情報が適切であるか否かの判定結果を前記サーバから受信する確認部と、
前記確認部による前記判定結果として前記認証情報が適切であると判定されていたとき、前記通信装置の位置情報を前記サーバに送信する位置情報送信部と、
を有するレスキュー情報通信端末。
【請求項８】
ユーザの認証情報と前記認証情報に対応する前記ユーザの個人情報とを記憶する記憶部と、
通信端末から送信された前記認証情報を受信し、受信した前記認証情報が適切であるか否かを判定し、判定した判定結果を前記通信端末に送信する判定部と、
前記通信端末から前記通信端末の位置情報を受信する位置情報受信部と、
前記受信部で受信した前記位置情報を救急用通信装置に送信する第１の送信部と、
前記記憶部から前記認証情報に対応する前記個人情報を読み出し、読み出した前記個人情報を緊急連絡先通信装置に送信する第２の送信部と、
を有するレスキュー情報サーバ。
【請求項９】
ユーザによって認証情報が入力される入力ステップと、
前記入力ステップにより入力された前記認証情報をサーバに送信し、送信した前記認証情報が適切であるか否かの判定結果を前記サーバから受信する確認ステップと、
前記確認ステップによる前記判定結果として前記認証情報が適切であると判定されていたとき、前記通信装置の位置情報を前記サーバに送信する位置情報送信ステップと、
を実行するレスキュー情報通信方法。
【請求項１０】
通信端末から送信されたユーザの認証情報を受信し、受信した前記認証情報が適切であるか否かを判定し、判定した判定結果を前記通信端末に送信する判定ステップと、
前記通信端末から前記通信端末の位置情報を受信する位置情報受信ステップと、
前記受信ステップで受信した前記位置情報を救急用通信装置に送信する第１の送信ステ
ップと、
ユーザの認証情報と前記認証情報に対応する前記ユーザの個人情報とを記憶する装置から前記認証情報に対応する前記個人情報を読み出し、読み出した前記個人情報を緊急連絡先通信装置に送信する第２の送信ステップと、
を実行するレスキュー情報サーバ上の通信方法。
【発明の詳細な説明】
【技術分野】
【０００１】
本発明は、レスキュー情報システム、レスキュー情報通信端末、レスキュー情報サーバ、レスキュー情報通信方法およびレスキュー情報サーバ上の通信方法に関する。
【背景技術】
【０００２】
外出時において病気や事故等の緊急事態が発生した場合、緊急事態に遭遇した者もしくは現場の近くにいた者が救急車の出動等の救助または介護を要請する。続いて、現場の近くにいた者が緊急事態に遭遇した当人と親しい間柄であれば、緊急事態に遭遇した者の個人の情報、健康管理情報および診察病歴情報を救急車等で運ばれた病院の医者等の医療関係者等に説明することができる。
【０００３】
診察病歴情報等を医者等の医療関係者等に提示する技術として、患者の治療に有用な診察病歴等の情報を病院にて電子情報として備え、電子情報が保管されている病院から当人が搬送された病院に当該の情報をダウンロードする方法が考えられている。しかし、このような場合、サービスを利用する患者ではなく、医療機関関係者等が当該の情報を直接的に扱うことになるため、セキュリティやプライバシーに問題があった。
【０００４】
携帯電話を使用するシステムとしては、携帯電話によりデータセンターに保存されている健康診断データにアクセスするシステムも開発されているが、緊急事態を想定したシステムではないため、緊急事態に対応できないといった欠点があった。
【０００５】
また、緊急事態を警備会社等に通知するシステムも開発されているが、利用内容が限定されているといった欠点があった。
【０００６】
本発明に係る先行技術文献としては、次に示すものがある。
【特許文献１】特開２００４−２２０５７６号公報
【発明の開示】
【発明が解決しようとする課題】
【０００７】
外出時における病気や事故等の緊急事態の場合、緊急事態に遭遇した者の傍に当人と親しい間柄の者がいるとは限らない。したがって、当人が搬送された先の病院の医者等の医療関係者等は、緊急事態に関わらず、当人の意識がはっきりしていなければ緊急事態に遭遇した者の個人特定情報、健康管理情報および診察病歴情報を直ぐに知ることができなかった。また、当人の意識がはっきりしていたとしても、診察病歴情報のような専門的な事柄を当人が医者に説明することには困難があった。
【０００８】
本発明は上記の問題に鑑みてなされたものである。本発明の目的は、個人情報を他人から見えない場所に確保する一方で、外出時における病気や事故等の緊急事態に、緊急事態に遭遇した者の個人情報を医者等の医療機関関係者等に提示できる技術を提供し、また、緊急事態に遭遇した者の位置情報を警備会社や救急サービスを行う会社等に連絡でき、また、緊急事態に遭遇した者の緊急連絡先に連絡できる技術を提供することである。
【課題を解決するための手段】
【０００９】
上記課題を解決するために、本発明は以下の構成を採用した。
【００１０】
（１）すなわち、本発明に係るレスキュー情報システムは、互いに通信可能な通信端末
とサーバとを有し、前記通信端末は、ユーザによって認証情報が入力される入力部と、前記入力部で入力された前記認証情報を前記サーバに送信し、送信した前記認証情報が適切であるか否かの判定結果を前記サーバから受信する確認部と、前記確認部による前記判定結果として前記認証情報が適切であると判定されていたとき、前記認証情報に対応する前記個人情報の送信要求を前記サーバに送信し、送信された前記送信要求の応答として、前記個人情報を前記サーバから受信する個人情報取得部と、前記個人情報取得部によって取得された前記個人情報を出力する出力部とを有し、前記サーバは、前記認証情報と前記個人情報とを記憶する記憶部と、前記通信端末から送信された前記認証情報を受信し、受信した前記認証情報が適切であるか否かを判定し、判定した判定結果を前記通信端末に送信する判定部と、前記通信端末から前記個人情報の前記送信要求を受信し、前記送信要求にしたがって前記記憶部から前記認証情報に対応する前記個人情報を読み取り、読み込んだ前記個人情報を送信する個人情報送信部とを有する。
【００１１】
この構成によれば、このレスキュー情報システムは互いに通信可能な通信端末とサーバとを有している。サーバはユーザの個人情報とユーザの認証情報とを記憶する記憶部を有している。ユーザが通信端末に入力した認証情報はサーバに送信される。次に、サーバに送信された認証情報はサーバ上でその認証情報が適切であるか否かが判定され、その判定結果は通信端末に送信される。その判定結果を受信した通信端末は、サーバから受信した認証情報の判定結果が適切であると判定されていたとき、サーバに個人情報の送信要求を送信する。送信要求を受信したサーバは通信端末に認証情報に対応する個人情報を送信する。個人情報を受信した通信端末はその個人情報を表示ディスプレイに表示することができる。したがって、このレスキュー情報システムは、ユーザが個人情報を常にサーバの記憶部に記憶させており、その個人情報は適切な認証情報がなれば誰も見ることができないため、情報のセキュリティを確保し、ユーザのプライバシーに係る情報を守ることができ、また、緊急時には認証情報を用いて、ユーザの治療、介護、緊急の連絡等に必要な情報を取り出し、医者等の医療機関関係者等にそれらの情報を提示できる。
【００１２】
（２）また、本発明に係るレスキュー情報通信端末は、ユーザによって認証情報が入力される入力部と、前記入力部で入力された前記認証情報をサーバに送信し、送信した前記認証情報が適切であるか否かの判定結果を前記サーバから受信する確認部と、前記確認部による前記判定結果として前記認証情報が適切であると判定されていたとき、前記認証情報に対応する前記個人情報の送信要求を前記サーバに送信し、送信された前記送信要求の応答として、前記個人情報を前記サーバから受信する個人情報取得部と、前記個人情報取得部によって取得された前記個人情報を出力する出力部とを有する。
【００１３】
この構成によれば、このレスキュー情報通信端末は、ユーザによって入力された認証情報をサーバに送信し、その認証情報が適切であるか否かの判定を受信し、その判定として送信した認証情報が適切であると判定されていたとき、サーバにその認証情報に対応する個人情報の送信要求を送信し、その送信要求に対応した個人情報を受信し、それを表示ディプレイ、プリンタ、音声等にして出力することができる。
【００１４】
（３）また、本発明に係るレスキュー情報サーバは、ユーザの認証情報と前記ユーザの個人情報とを記憶する記憶部と、通信端末から送信された前記認証情報を受信し、受信した前記認証情報が適切であるか否かを判定し、判定した判定結果を前記通信端末に送信する判定部と、前記通信端末から前記個人情報の前記送信要求を受信し、前記送信要求にしたがって前記記憶部から前記認証情報に対応する前記個人情報を読み取り、読み込んだ前記個人情報を送信する個人情報送信部とを有する。
【００１５】
この構成によれば、このレスキュー情報サーバは、ユーザの認証情報を通信端末から受信し、その認証情報が適切であるか否かを判定し、判定した結果を通信端末に送信し、通
信装置から個人情報の送信要求を受信した場合には、認証情報に対応する個人情報を通信端末に送信することができる。
【００１６】
（４）また、本発明に係るレスキュー情報システムは、互いに通信可能な通信端末とサーバとを有し、前記通信端末は、ユーザによって認証情報が入力される入力部と、前記入力部により入力された前記認証情報を前記サーバに送信し、送信した前記認証情報が適切であるか否かの判定結果を前記サーバから受信する確認部と、前記確認部による前記判定結果として前記認証情報が適切であると判定されていたとき、前記通信装置の位置情報を前記サーバに送信する位置情報送信部とを有し、前記サーバは、前記認証情報と前記認証情報に対応するユーザの個人情報とを記憶する記憶部と、前記通信端末から送信された前記認証情報を受信し、受信した前記認証情報が適切であるか否かを判定し、判定した判定結果を前記通信端末に送信する判定部と、前記通信端末から前記位置情報を受信する受信部と、前記受信部で受信した前記位置情報を救急用通信装置に送信する第１の送信部と、前記記憶部から前記認証情報に対応する前記個人情報を読み出し、読み出した前記個人情報を緊急連絡先通信装置に送信する第２の送信部とを有する。
【００１７】
この構成によれば、このレスキュー情報システムは互いに通信可能な通信端末とサーバとを有している。サーバはユーザの個人情報とユーザの認証情報とを記憶する記憶部を有している。ユーザが通信端末に入力した認証情報はサーバに送信される。次に、サーバに送信された認証情報はサーバ上でその認証情報が適切であるか否かが判定され、その判定結果は通信端末に送信される。その判定結果を受信した通信端末は、サーバから受信した認証情報の判定結果が適切であると判定されていたとき、この通信端末の位置情報をサーバに送信する。その位置情報を受信したサーバは、警備会社や救急サービスを行う会社等が備える救急用通信装置に送信する。サーバは、受信した認証情報に対応する個人情報を読み出し、読み出した個人情報をユーザの緊急連絡先である緊急連絡先通信装置に送信することができる。したがって、このレスキュー情報システムは、ユーザが個人情報を常にサーバの記憶部に記憶させており、その個人情報は適切な認証情報がなれば誰も見ることができないようになっているため、情報のセキュリティを確保し、ユーザのプライバシーに係る情報を守ることができる。また、このレスキュー情報システムは、緊急時に位置情報を送信することにより、救急や介護を要請することができ、また、ユーザの緊急連絡先に連絡することができる。
【００１８】
（５）また、本発明に係るレスキュー情報通信端末は、ユーザによって認証情報が入力される入力部と、前記入力部により入力された前記認証情報をサーバに送信し、送信した前記認証情報が適切であるか否かの判定結果を前記サーバから受信する確認部と、前記確認部による前記判定結果として前記認証情報が適切であると判定されていたとき、前記通信装置の位置情報を前記サーバに送信する位置情報送信部とを有する。
【００１９】
この構成によれば、このレスキュー情報通信端末は、ユーザによって入力された認証情報をサーバに送信し、その認証情報が適切であるか否かの判定を受信し、その判定として送信した認証情報が適切であると判定されていたとき、この通信端末の位置情報をサーバに送信することができる。
【００２０】
（６）また、本発明に係るレスキュー情報サーバは、ユーザの認証情報と前記認証情報に対応する前記ユーザの個人情報とを記憶する記憶部と、通信端末から送信された前記認証情報を受信し、受信した前記認証情報が適切であるか否かを判定し、判定した判定結果を前記通信端末に送信する判定部と、前記通信端末から前記通信端末の位置情報を受信する受信部と、前記受信部で受信した前記位置情報を救急用通信装置に送信する第１の送信部と、前記記憶部から前記認証情報に対応する前記個人情報を読み出し、読み出した前記個人情報を緊急連絡先通信装置に送信する第２の送信部とを有する。
【００２１】
この構成によれば、このレスキュー情報サーバはユーザの認証情報を通信端末から受信し、その認証情報が適切であるか否かを判定し、判定した結果を通信端末に送信し、通信端末の位置情報を受信し、その位置情報を救急用通信装置に送信し、また、受信した認証情報に対応する個人情報を読み出し、読み出した個人情報を緊急連絡先通信装置に送信することができる。
【００２２】
また、このレスキュー情報通信端末は、以上のような処理を実行するレスキュー情報通信方法であってもよい。また、このレスキュー情報サーバは、以上のような処理を実行するレスキュー情報サーバ上の通信方法であってもよい。
【００２３】
加えて、本発明は、上記機能をコンピュータに実現させるコンピュータプログラムであってもよい。更に、そのようなプログラムを記憶したコンピュータが読み取り可能な記憶媒体であってもよい。
【００２４】
上記の個人情報とは、個人特定情報、健康管理情報および診察病歴情報である。個人特定情報には、ユーザの氏名、性別、生年月日、住所、連絡先電話番号、緊急時の連絡先、緊急時の連絡先への伝言等がある。健康管理情報には、血液型、アレルギー、体内留置物、血圧等の情報がある。診察病歴情報には、かかりつけの医者、診療・診察を受けたことのある病院、診察・診療内容、既往症等の情報がある。
【００２５】
上記の認証情報とは、ＩＤおよびパスワード、パスワード、ＱＲコード、顔認証、指紋認証、網膜認証、光彩認証、ユーザの身体的特徴、ユーザの所有物の特徴等、ユーザを識別できる可能性がある情報である。
【発明の効果】
【００２６】
本発明によれば、個人情報を他人から見えない場所に確保する一方で、外出時における病気や事故等の緊急事態に、緊急事態に遭遇した者の個人情報を医者等の医療機関関係者等に提示できる。また、緊急事態に遭遇した者の位置情報を警備会社や救急サービスを行う会社等に連絡でき、また、緊急事態に遭遇した者の緊急連絡先に連絡できる。
【発明を実施するための最良の形態】
【００２７】
以下、図面を参照して、本発明の実施形態を説明する。以下の実施形態の構成は例示であり、本発明は実施形態の構成に限定されない。
【００２８】
《実施形態》
以下、本発明の実施形態に係る通信システムを図１の図面に基づいて説明する。
【００２９】
図１は、本発明の実施形態に係る通信システムの構成図である。この通信システムは、通信端末１とサーバ２とから構成される。通信端末１は、ユーザが使用する携帯電話等の通信端末である。サーバ２は、データベースを備える通信装置であり、本通信システムをユーザに提供するサービス提供会社、警備会社、または、救急医療センター等の医療機関等に備えられる。
【００３０】
通信端末１とサーバ２とは無線や有線を使用して互いに通信することができる。また、サーバ２は、警備会社や救急サービスを行う会社等が備える救急用通信装置１５にＥメール等で情報を通知することができる。また、サーバ２は、ユーザの緊急連絡先である緊急連絡先通信装置１６にＥメール等で情報を通知することができる。
【００３１】
通信端末１は、入力装置３、演算装置４および出力装置５を備えている。
【００３２】
入力装置３は、音声を入力するマイク等を備えている。入力装置３は、演算装置１０に備えられた本通信システムを利用するためのボタン等を備えている。また、入力装置３は、顔写真等の認証情報を生成するためのデジタルカメラを備えてもよい。加えて、入力装置３は、本通信システムを利用する者の認証情報を入力するために、顔の形、指紋等、当人の情報を電子情報に変換する装置を備えてもよい。更に、入力装置３は、ＱＲ（Quick Response）コードを読み取れてもよい。
【００３３】
演算装置４は、中央演算処理装置、メモリ、ハードディスク等のプログラムの演算に必要な処理装置およびデータの送受信のための通信装置を備えている。演算装置４のハードディスクには、本通信システムを実行するために必要なプログラムが備えられている。このプログラムは、サーバ２からダウンロードできる。
【００３４】
出力装置５は、音声を出力するスピーカー等を備えている。また、出力装置５は液晶パネル等の表示ディスプレイを情報の表示のために備えている。また、出力装置５は他の通信装置から受信した情報をプリンタ等に出力するための出力端子を備えていてもよい。
【００３５】
サーバ２は、演算装置１０および記憶媒体１０を備えている。
【００３６】
演算装置１０は、中央演算処理装置、メモリ、ハードディスク等、プログラムを実行するための処理装置および通信装置を含んでいる。演算装置１０のハードディスクには、本通信システムを実施するために必要なプログラムが備えられている。
【００３７】
記憶媒体１０は、ハードディスク等の記憶媒体である。
【００３８】
次に、本通信システムで実行されるプログラムのシステム構成を示す機能ブロックについて説明する。通信端末１の演算装置４は、本通信システムの構成を示す機能ブロックとして、入力部６、確認部７、取得部８および出力部９を有している。サーバ２の演算装置１０は、本通信システムの構成を示す機能ブロックとして、判定部１２および読込部１３を有している。サーバ２の記憶媒体１０は、本通信システムの構成を示す機能ブロックとして、データベース１４を有している。図１では、本通信システムで実行される処理の流れが矢印を使用して明示されている。
【００３９】
まず、通信端末１側で実行されるプログラムのシステム構成を示す機能ブロックについて説明する。
【００４０】
入力部６は、入力装置３を通じて本通信システムのプログラムの実行を受け付ける。入力部６は、入力装置３を通じて本通信システムのプログラムの実行が選択されたとき、本通信システムを実行する。次に、入力部６は、入力装置３を通じた認識情報の入力を受け付ける。そして、入力部６は、入力された認識情報をサーバ２の判定部１２に送信する。
【００４１】
確認部７は、判定部１２によって判定された認識情報に対する判定結果をサーバ２の判定部１２から受信する。サーバ２の判定部１２で行われる判定は、確認部７が送信した認識情報が適切か不適切かに応じて行われる。確認部７は、その判定結果を基にした処理を実行する。そして、確認部７は、判定部１２によって認証情報が適当であると判定されていたならば、サーバ２の演算装置１０に個人情報の送信要求を送信する。また、確認部７は、判定部１２によって認証情報が適当であると判定されていたならば、サーバ２の演算装置１０に通信端末１の位置情報を送信してもよい。
【００４２】
取得部８は、確認部７が送信した送信要求に対する応答として、読込部１３が送信した
個人情報を受信する。次に、取得部８は、受信した個人情報を出力部９に送信する。
【００４３】
出力部９は、取得部８によって受信された個人情報を出力装置５の画面ディスプレイ上に表示する。
【００４４】
次に、サーバ２側で実行されるプログラムのシステム構成を示す機能ブロックについて説明する。
【００４５】
判定部１２は、通信端末１の入力部６から認証情報を受信する。判定部１２は、受信した認証情報が適切か否かをデータベース１４に登録されている情報を基にして判定する。判定部１２は、その判定結果を確認部７に送信する。
【００４６】
読込部１３は、確認部７が送信した個人情報の送信要求を受信する。読込部１３は、受信した送信要求にしたがって、判定部１２で受信した認証情報に対応する個人情報をデータベース１４から読込む。読込部１３は、データベース１４から読み込んだ個人情報を通信端末１の取得部８に送信する。
【００４７】
データベース１４は、本通信システムを使用するユーザの個人情報およびユーザの認証情報、そして、ユーザの個人情報とユーザの認証情報との対応関係を備えている。ユーザの個人情報として、データベース１４は、個人特定情報、健康管理情報および診察病歴情報を備えている。個人特定情報には、ユーザの氏名、性別、生年月日、住所、連絡先電話番号等がある。また、健康管理情報には、血液型、アレルギー、体内留置物、血圧等の情報がある。また、診察病歴情報には、かかりつけの医者、診療・診察を受けたことのある病院、診察・診療内容、既往症等の情報がある。これらの情報の他に、データベース１４は、ユーザの身体的特徴や所持品の特徴を備えていてもよい。加えて、データベース１４は、本通信システムのユーザの緊急時の連絡先を有している。また、データベース１４は、本通信システムのユーザの緊急時の連絡先への伝言を有してよい。更に、これらの個人情報は、日本語のみの記載ではなく、英語等の諸外国の言葉への翻訳文が併記されていてもよい。このことにより、本通信システムの諸外国での利用が有効になる。
【００４８】
また、データベース１４は、通信端末１の位置に関する断片的な情報から、通信端末１の位置を特定するためのデータを備えている。
【００４９】
図２は、本通信システムで使用するデータベース１４の例である。図２において、データベース１４は、ユーザとして、Ａ，Ｂ，Ｃ，…，という名のユーザを有している。図２では、ユーザ名がＡの個人情報として、abc12345というＩＤ（Identification）と、abdcdwtdというＩＤに対するパスワードと、男という性別と、生年月日が1969年7月20日等で
あることとが入力されている。
【００５０】
《第１実施例》
以下、本発明の第１実施例に係る本通信システムでの処理を示すフローチャートを図３の図面に基づいて説明する。本通信システムにおける処理が、通信端末１とサーバ２のどちらの装置で実行されているかを明示するために、通信端末１での処理をフローチャートの左側に、サーバ２での処理をフローチャートの右側に記述する。
【００５１】
まず、通信端末１において、本通信システムを実施するためのプログラムを実行する（Ｓ１）。このプログラムは演算装置４に備えられている。通信端末１のプログラムの起動は、入力装置３に対する入力によって実行される。プログラムを起動させるための入力部６に対する入力には、入力装置３に備える専用ボタンや入力装置３に備えられた複数のボタンの組み合わせがある。これらの入力は、入力装置３に備えるボタンを押すだけであっ
てもよいし、出力装置５が有する表示ディスプレイに表示されるサービスメニューを入力装置３を使用して選択してもよい。
【００５２】
図４は、プログラムの起動後、出力装置６が備える表示ディスプレイ上に表示される画面の例である。図４では、ユーザは、個人情報表示サービスを選択ボタン１７Ａを使用して選ぶことができ、また、レスキュー派遣依頼を選択ボタン１７Ｂを使用して選ぶことができる。図４では、個人情報表示サービスが選択ボタン１７Ａを通じて選択されている。第１実施例では、ユーザが個人情報表示サービスを選択した場合を説明する。
【００５３】
ユーザが個人情報表示サービスを選択すると、本通信システムでは、次に、ユーザによる認証情報の入力を受け付ける（Ｓ２）。本通信システムでは、ユーザの認証のために、ＩＤおよびパスワード、パスワード、ＱＲコード、顔認証、指紋認証、光彩認証または網膜認証等の認証情報を利用できる。したがって、ユーザの認証方法は、出力装置６に認証方法を複数列挙して、ユーザが複数の認証方法のうちの一つを選択できるようにしてもよい。
【００５４】
図５は、出力装置６が備える表示ディスプレイ上に表示される認証情報の入力画面の例である。図５は、ユーザのＩＤおよびパスワードを入力するためのＩＤ入力部１８およびパスワード入力部１９を示している。ＩＤ入力部１８には、ＩＤの例として、abc12345が入力されている。また、パスワード入力部１９には、パスワードの例として、パスワードが*********という伏字になって入力されている。これらの入力はユーザによって入力装
置３を通じて行われる。
【００５５】
また、他の認証情報の例として、ＩＤの入力を求めず、パスワードの入力のみを求めてもよい。認証情報としてパスワードのみを求めるシステムの場合、通信端末１に本通信システムを実行するプログラムをダウンロードする際、サーバ２からＩＤが付与されることにより、パスワードのみを使用した認証が可能となる。また、認証情報として、ＱＲコードを使用してもよい。また、認証情報は、顔認証、指紋認証、網膜認証または光彩認証等、本通信システムを利用しているユーザをほぼ確実に特定できる情報を含んでもよい。
【００５６】
ステップＳ２で入力部６に入力された認証情報は、サーバ２の判定部１２に送信される（Ｓ３）。
【００５７】
通信端末１から送信された認証情報は、サーバ２の判定部１２で受信される（Ｓ４）。
【００５８】
続いて、判定部１２は、受信した認証情報が適切であるか否かをベータベース１３に登録されている情報を基にして判定する（Ｓ５）。
【００５９】
判定部１２は、受信した認証情報が適切であるか否かに関する判定結果を通信端末１の確認部７に送信する（Ｓ６）。
【００６０】
通信端末１の確認部７は、判定部１２での認証情報の判定結果を受信する。続いて、確認部７は、受信した認証情報の判定結果として、認証情報が適切であったか否かを確認する（Ｓ７）。確認部７は、判定部１２によって認証情報が不適切であったと判定されていた場合、本通信システムにおける処理を終了する（Ｓ７；No）。また、確認部７は、判定部１２によって認証情報が適切であったと判定されていた場合、図６に示すような個人情報の送信要求を選択する画面を出力装置５上のディスプレイ上に表示させる（Ｓ７；Yes
）。
【００６１】
図６は、判定部１２で認証情報が適切であると判定されていた場合に、出力装置５の表
示ディスプレイに表示される画面の例である。図６では、ユーザは、個人特定情報、健康管理情報および診察病歴情報を選択ボタン１７Ｃ〜１７Ｅを用いて選択することができる。図６の例では、選択ボタン１７Ｃは個人特定情報、選択ボタン１７Ｄは健康管理情報、選択ボタン１７Ｅは診察病歴情報にそれぞれ対応する。また、図５は、選択ボタン１７Ｄ、すなわち健康管理情報が選択された状態を示している。ユーザによって、個人特定情報、健康管理情報および診察病歴情報のうちのいくつかの情報が選択され、更に、入力装置３に備える情報送信用のボタンが押されると、確認部７は、選択された情報に関する送信要求を読込部１３に送信する（Ｓ８）。
【００６２】
サーバ２の読込部１３は、確認部７から送信された送信要求を受信する（Ｓ９）。
【００６３】
読込部１３は、確認部７から受信した送信要求にしたがって、ユーザが選択した個人情報をデータベース１４から読込む（Ｓ１０）。ここで、読込部１３が読込むデータは、入力部６が送出した認証情報に対応する個人情報である。
【００６４】
読込部１３は、データベース１４から読み込んだ個人情報を取得部８に送信する（Ｓ１１）。
【００６５】
取得部８は、送信要求に対する個人情報を読込部１３から受信する（Ｓ１２）。取得部８は、受信した個人情報を出力部９に送信する。
【００６６】
出力部９は、取得部８から受けた個人情報を出力装置５に備える表示ディスプレイ上に表示する（Ｓ１３）。
【００６７】
通信端末１は、受信した個人情報の表示後、入力装置３を通じて本通信システムの処理を終了する（Ｓ１４）。
【００６８】
以上述べたように、本実施例のレスキュー情報システムは、通信端末１のユーザが適切な認証情報を使用することにより、サーバ２が備えるデータベース１４にある個人情報を通信端末１の出力装置５の表示ディスプレイ上に表示できる。したがって、このレスキュー情報システムは、外出時における病気や事故等の緊急事態に、緊急事態に遭遇したユーザの個人特定情報、健康管理情報および診察病歴情報を医者等の医療機関関係者等に提示できる。
【００６９】
また、以上述べたように、本実施例のレスキュー情報システムでは、本通信システムのユーザは、常時、個人情報をデータベース１４に確保できる。加えて、その個人情報は適切な認証情報がなければ取り出せないシステムとなっているため、ユーザは、情報のセキュリティおよびユーザのプライバシーを確保できる。
【００７０】
《第２実施例》
以下、本発明の第２実施例に係る本通信システムでの処理を示すフローチャートを図７の図面に基づいて説明する。本通信システムにおける処理が、通信端末１とサーバ２のどちらの装置で実行されているかを明示するために、通信端末１での処理をフローチャートの左側に、サーバ２での処理をフローチャートの右側に記述する。
【００７１】
第１実施例での処理に使用される認証情報は、ＩＤおよびパスワード、パスワード、ＱＲコード、顔認証、指紋認証、網膜認証または光彩認証等、本通信システムを利用するユーザをほぼ確実に特定できる情報である。
【００７２】
一方で、第２実施例での処理に使用される認証情報は、ユーザの身体的特徴、ユーザの
所有物の特徴、または、ユーザの身体的特徴およびユーザの所有物の特徴等、本通信システムのユーザを識別できる可能性がある情報である。第２実施例での処理に使用する認証情報は、ユーザの確実な特定のための情報としては不十分な情報である可能性があるが、緊急時に使用するには有用な情報である。また、ＩＤおよびパスワード以外の第１実施例での処理に使用された全ての認証情報を第２実施例での処理に使用する認証情報としてもよい。
【００７３】
本通信システムでは、出力装置６が備える表示ディスプレイ上で、ユーザが、使用する認証方法を選択できるようにしてもよい。
【００７４】
まず、通信端末１において、本通信システムを実施するためのプログラムを実行する（Ｓ１５）。このプログラムは演算装置４に備えられている。通信端末１のプログラムの起動は、入力装置３に対する入力によって実行される。プログラムを起動させるための入力部６に対する入力には、入力装置３に備える専用ボタンや入力装置３に備える複数のボタンの組み合わせがある。これらの入力は、入力装置３に備えるボタンを押すだけであってもよいし、出力装置５が有する表示ディスプレイに表示されるサービスメニューを入力装置３を使用して選択してもよい。
【００７５】
図４は、プログラムの起動後、出力装置６が備える表示ディスプレイ上に表示される画面の例である。図４では、ユーザは、個人情報表示サービスを選択ボタン１７Ａを使用して選ぶことができ、また、レスキュー派遣依頼を選択ボタン１７Ｂを使用して選ぶことができる。図４では、個人情報表示サービスが選択ボタン１７Ａを通じて選択されている。第１実施例では、ユーザが個人情報表示サービスを選択した場合を説明する。
【００７６】
ユーザが個人情報表示サービスを選択すると、本通信システムでは、次に、ユーザによる認証情報の入力を受け付ける（Ｓ１６）。本通信システムでは、ユーザの認証のために、ＩＤおよびパスワード、パスワード、ＱＲコード、顔認証、指紋認証、光彩認証または網膜認証等の認証情報を利用できる。したがって、ユーザの認証方法は、出力装置６に認証方法を複数列挙して、ユーザが複数の認証方法のうちの一つを選択できるようにしてもよい。
【００７７】
図５は、出力装置６が備える表示ディスプレイ上に表示される認証情報の入力画面の例である。図５は、ユーザのＩＤおよびパスワードを入力するためのＩＤ入力部１８およびパスワード入力部１９を有している。ＩＤ入力部１８には、ＩＤの例として、abc12345が入力されている。また、パスワード入力部１９には、パスワードの例として、パスワードが*********という伏字になって入力されている。これらの入力はユーザによって入力装
置３を通じて行われる。
【００７８】
また、他の認証情報の例として、ＩＤの入力を求めず、パスワードの入力のみを求めてもよい。認証情報としてパスワードのみを求めるシステムの場合、通信端末１に本通信システムを実行するプログラムをダウンロードする際、サーバ２からＩＤが付与されることにより、パスワードのみを使用した認証が可能となる。また、認証情報として、ＱＲコードを使用してもよい。また、認証情報は、顔認証、指紋認証、網膜認証または光彩認証等、本通信システムを利用しているユーザをほぼ確実に特定できる情報を含んでもよい。
【００７９】
ステップＳ１６で入力部６に入力された認証情報は、サーバ２の判定部１２に送信される（Ｓ１７）。
【００８０】
通信端末１から送信された認証情報は、サーバ２の判定部１２で受信される（Ｓ１８）。
【００８１】
続いて、判定部１２は、受信した認証情報が適切であるか否かをベータベース１３に登録されている情報を基にして判定する（Ｓ１９）。
【００８２】
判定部１２は、受信した認証情報が適切であるか否かに関する判定結果を通信端末１の確認部７に送信する（Ｓ２０）。また、判定部１２は、受信した認証情報が適切であると判定した場合、その判定結果に、ＩＤおよびパスワードを付加する。
【００８３】
通信端末１の確認部７は、判定部１２での認証情報の判定結果を受信する。続いて、確認部７は、受信した認証情報の判定結果として、認証情報が適切であったか否かを確認する（Ｓ２１）。確認部７は、判定部１２によって認証情報が不適切であったと判定されていた場合、本通信システムにおける処理を終了する（Ｓ２１；No）。また、確認部７は、判定部１２によって認証情報が適切であったと判定されていた場合、その判定結果にはユーザのＩＤおよびパスワードが含まれている。確認部７は、図５に示されるようなＩＤおよびパスワードの入力画面を出力装置５の表示ディスプレイ上に表示すると共に、受信した判定結果に含まれるユーザのＩＤおよびパスワードを出力装置５が備えるスピーカーから音声として出力する（Ｓ２２）。
【００８４】
確認部７は、ＩＤおよびパスワードが入力されると、入力されたＩＤおよびパスワードをサーバ２の判定部１２に送信する（Ｓ２３）。
【００８５】
判定部１２は、確認部７が送信したＩＤおよびパスワードを受信する（Ｓ２４）。
【００８６】
判定部１２は、受信したＩＤおよびパスワードについて、受信したパスワードが正しいかをデータベース１４を通じて判定する（Ｓ２５）。
【００８７】
判定部１２は、ステップＳ２５で判定した判定結果を確認部７に送信する（Ｓ２６）。
【００８８】
確認部７は、判定部１２が送信したＩＤおよびパスワードについての判定結果を受信する。確認部７は、ＩＤおよびパスワードについての判定結果として、送信したパスワードが間違っていると判定されていれば、本通信システムにおけるプログラムの処理を終了する（Ｓ３４）。また、確認部７は、ＩＤおよびパスワードについての判定結果として、送信したパスワードが正しいと判定されていれば、図６に示すようなダウンロードする個人情報の選択画面を出力装置５の表示ディスプレイ上に表示させる（Ｓ２７；Yes）。
【００８９】
図６は、判定部１２でパスワードが正しいと判定されていた場合に、出力装置５の表示ディスプレイに表示される画面の例である。図６では、ユーザは、個人特定情報、健康管理情報および診察病歴情報を選択ボタン１７Ｃ〜１７Ｅを用いて選択することができる。図６の例では、選択ボタン１７Ｃは個人特定情報、選択ボタン１７Ｄは健康管理情報、選択ボタン１７Ｅは診察病歴情報にそれぞれ対応する。また、図５は、選択ボタン１７Ｄ、すなわち健康管理情報が選択された状態を示している。ユーザによって、個人特定情報、健康管理情報および診察病歴情報のうちのいくつかの情報が選択され、更に、入力装置３に備える情報送信用のボタンが押されると、確認部７は、選択された情報に関する送信要求を読込部１３に送信する（Ｓ２８）。
【００９０】
サーバ２の読込部１３は、確認部７から送信された送信要求を受信する（Ｓ２９）。
【００９１】
読込部１３は、確認部７から受信した送信要求にしたがって、ユーザが選択した個人情報をデータベース１４から読込む（Ｓ３０）。ここで、読込部１３が読込むデータは、入力部６が送出した認証情報に対応する個人情報である。
【００９２】
読込部１３は、データベース１４から読み込んだ個人情報を取得部８に送信する（Ｓ３１）。
【００９３】
取得部８は、送信要求に対する個人情報を読込部１３から受信する（Ｓ３２）。取得部８は、受信した個人情報を出力部９に送信する。
【００９４】
出力部９は、取得部８から受けた個人情報を出力装置５に備える表示ディスプレイ上に表示する（Ｓ３３）。
【００９５】
通信端末１は、受信した個人情報の表示後、入力装置３を通じて本通信システムの処理を終了する（Ｓ３４）。
【００９６】
以上述べたように、本実施例のレスキュー情報システムは、ユーザの身体的特徴、ユーザの所持品、ユーザの身体的特徴およびユーザの所持品等を示す認証情報に対しても、サーバ２の判定部１２がデータベース１４に登録されているデータに基づいて適切な情報か否かを判定することにより、通信端末１の出力装置５の表示ディスプレイ上に個人特定情報、健康管理情報または診察病歴情報を表示できる。したがって、このレスキュー情報システムは、外出時における病気や事故等の緊急事態に、緊急事態に遭遇したユーザの個人特定情報、健康管理情報および診察病歴情報を医者等の医療機関関係者等に提示できる。
【００９７】
また、以上述べたように、本実施例のレスキュー情報システムでは、本通信システムのユーザは、常時、ユーザの情報をデータベース１４に確保できる。加えて、その情報は適切な認証情報がなければ取り出せないシステムとなっているため、ユーザは、情報のセキュリティおよびユーザのプライバシーを確保できる。
【００９８】
＜変形例＞
本実施例の変形例として、サーバ２は、ステップＳ１９の処理において、受信した認証情報が適切であると判定した場合、ユーザのプライバシーを守る観点から、一定期間使用可能なＩＤとパスワードとを発行し、通信端末１に送信してもよい。サーバ２が一定期間使用可能なＩＤとパスワードとを発行すると、そのＩＤとパスワードとを使用した者は、一定期間しか本通信システムのユーザの情報を知ることができなくなる。
【００９９】
また、サーバ２は、本実施例で使用する認証情報によるユーザの認証の場合、ユーザのプライバシーを守る観点から、認証情報を送信した通信端末１からの情報のアクセスに対して一定の期間を設け、その一定期間を超えるアクセスを制限してもよい。
【０１００】
更に、通信端末１は、ステップＳ２１で認証情報が適切であると判定された場合に、ステップＳ２２の処理には進まず、ステップ２７でパスワードが正しいと判定された場合の処理、すなわちステップＳ２８の処理を実行してもよい。上記の処理を実行した場合、通信端末１は、ＩＤおよびパスワードを入力せずとも、ユーザの身体的特徴、ユーザの所持品の特徴、ユーザの身体的特徴およびユーザの所持品の特徴を示す情報をサーバ２に送信するのみで、送信した情報が適切であれば、その情報に対応する個人情報を取得できる。したがって、本通信システムは、上記の処理のステップを実行することにより、本通信システムの処理全体に要する時間を更に抑えることができる。
【０１０１】
《第３実施例》
以下、本発明の第３実施例に係る本通信システムでの処理を示すフローチャートを図８の図面に基づいて説明する。本通信システムにおける処理が、通信端末１とサーバ２のどちらの装置で実行されているかを明示するために、通信端末１での処理をフローチャート
の左側に、サーバ２での処理をフローチャートの右側に記述する。
【０１０２】
第１実施例での処理は、図４にて、入力装置３の操作により選択ボタン１７Ａが押され、個人情報表示サービスが選択された場合の処理であった。
【０１０３】
一方、本実施例での処理は、図４にて、入力装置３の操作により選択ボタン１７Ｂが押され、レスキュー派遣依頼が選択された場合の処理である。通信端末１は、レスキュー派遣依頼が選択された場合、レスキュー派遣依頼のプログラムを実行する。本実施例では、レスキュー派遣依頼のプログラムが実行された場合について説明する。
【０１０４】
まず、通信端末１において、本通信システムを実施するためのプログラムを実行する（Ｓ３５）。このプログラムは演算装置４に備えられている。通信端末１のプログラムの起動は、入力装置３に対する入力によって実行される。プログラムを起動させるための入力部６に対する入力には、入力装置３に備える専用ボタンや入力装置３に備える複数のボタンの組み合わせがある。これらの入力は、入力装置３に備えるボタンを押すだけであってもよいし、出力装置５が有する表示ディスプレイに表示されるサービスメニューを入力装置３を使用して選択してもよい。
【０１０５】
図４は、プログラムの起動後、出力装置６が備える表示ディスプレイ上に表示される画面の例である。図４では、ユーザは、個人情報表示サービスを選択ボタン１７Ａを使用して選ぶことができ、また、レスキュー派遣依頼を選択ボタン１７Ｂを使用して選ぶことができる。図４では、個人情報表示サービスが選択ボタン１７Ａを通じて選択されている。第１実施例では、ユーザが個人情報表示サービスを選択した場合を説明する。
【０１０６】
ユーザが個人情報表示サービスを選択すると、本通信システムでは、次に、ユーザの認証情報の入力を受け付ける（Ｓ３６）。本通信システムでは、ユーザの認証のために、ＩＤおよびパスワード、パスワード、ＱＲコード、顔認証、指紋認証、光彩認証または網膜認証等の認証情報を利用できる。したがって、ユーザの認証方法は、出力装置６に認証方法を複数列挙して、ユーザが複数の認証方法のうちの一つを選択できるようにしてもよい。
【０１０７】
図５は、出力装置６が備える表示ディスプレイ上に表示される認証情報の入力画面の例である。図５は、ユーザのＩＤおよびパスワードを入力するためのＩＤ入力部１８およびパスワード入力部１９を有している。ＩＤ入力部１８には、ＩＤの例として、abc12345が入力されている。また、パスワード入力部１９には、パスワードの例として、パスワードが*********という伏字になって入力されている。これらの入力はユーザによって入力装
置３を通じて行われる。
【０１０８】
また、他の認証情報の例として、ＩＤの入力を求めず、パスワードの入力のみを求めてもよい。認証情報としてパスワードのみを求めるシステムの場合、通信端末１に本通信システムを実行するプログラムをダウンロードする際、サーバ２からＩＤが付与されることにより、パスワードのみを使用した認証が可能となる。また、認証情報として、ＱＲコードを使用してもよい。また、認証情報は、顔認証、指紋認証、網膜認証または光彩認証等、本通信システムを利用しているユーザをほぼ確実に特定できる情報を含んでもよい。
【０１０９】
ステップＳ３６で入力部６に入力された認証情報は、サーバ２の判定部１２に送信される（Ｓ３７）。
【０１１０】
通信端末１から送信された認証情報は、サーバ２の判定部１２で受信される（Ｓ３８）。
【０１１１】
続いて、判定部１２は、受信した認証情報が適切であるか否かをベータベース１３に登録されている情報を基にして判定する（Ｓ３９）。
【０１１２】
判定部１２は、受信した認証情報が適切であるか否かに関する判定結果を通信端末１の確認部７に送信する（Ｓ４０）。
【０１１３】
通信端末１の確認部７は、判定部１２での認証情報の判定結果を受信する。続いて、確認部７は、受信した認証情報の判定結果として、認証情報が適切であったか否かを確認する（Ｓ４１）。確認部７は、判定部１２によって認証情報が不適切であったと判定されていた場合、本通信システムにおける処理を終了する（Ｓ４１；No）。
【０１１４】
確認部７は、認証情報が適切であったという判定結果を判定部１２から受信すると、通信端末１の位置情報の入力をユーザに促す画面を出力装置６の表示ディスプレイ上に表示する（Ｓ４１；Yes）。位置情報は、ユーザにより、入力装置３を通じて入力部４に入力
される。位置情報は、正しい住所でなくとも、通信端末１の近くにある駅、建築物、店舗、地域名等が入力されてもよい。また、通信端末１は、出力装置５の表示ディスプレイ上に地図を表示し、ユーザがその地図から通信端末１の位置情報を指定するようにしてもよい。また、通信端末１は、ＧＰＳ（Global Positioning System）等、通信端末１の位置
を自動的に特定する装置を備えてもよい。通信端末１の位置情報を自動的に特定する装置を通信端末１が備えている場合、通信端末１は、その装置による位置情報の特定結果を入力部６に自動的に入力する。入力部６は、入力された位置情報を判定部１２に送信する（Ｓ４２）。
【０１１５】
入力部６が位置情報を送信した後、通信端末１は、本通信システムのプログラムの実行を終了する（Ｓ４６）。
【０１１６】
一方、サーバ２の判定部１２は、入力部６から通信端末１の位置情報を受信する（Ｓ４３）。
【０１１７】
判定部１２は、位置情報を受信すると、データベース１４を通じて、通信端末１の位置を特定する。判定部１２は、受信した位置情報から通信端末１の位置を完全には特定できない場合、候補となる位置を複数列挙し、列挙した位置情報を通信端末１に送信してもよい。通信端末１は、いくつかの位置の候補を受信した場合、出力装置５が備える表示ディスプレイ上にその情報を列挙する。そして、出力装置５が備える表示ディスプレイ上に列挙された位置の候補の中のいくつかを、入力装置３を用いてユーザが選択できる。選択された情報は、判定部１２に送信される。
【０１１８】
判定部１２にて通信端末１の位置が特定されると、判定部１２は特定された位置情報を、警備会社や救急サービスを行う会社等が備える救急用通信装置１５に送信する（Ｓ４４）。また、判定部１２は、送信の際、ユーザの個人情報として有用なものを位置情報と共に送信してもよい。加えて、サーバ２にて通信端末１の位置が特定されなくとも、サーバ２の判定部１２は通信端末１の位置の候補となるいくつかの位置情報の全てを救急用通信装置１５に送信してもよい。
【０１１９】
次に、判定部１２は、読込部１３に連絡メールの送信するよう指令する。指令を受けた読込部１３は、データベース１４から、ユーザの認証情報に対応するユーザの家族や勤務先等の緊急連絡先の情報を読込む。続いて、読込部１１は、ユーザの緊急連絡先である緊急連絡先通信装置１６に、ユーザの緊急事態を伝える連絡メールを送信する（Ｓ４５）。また、連絡メールには、ユーザが予め登録しておいた情報を記載することができるように
してもよい。
【０１２０】
読込部１３が連絡メールを送信した後、サーバ２は、通信端末１との通信を終了する（Ｓ４６）。
【０１２１】
以上述べたように、本実施例のレスキュー情報システムは、ＩＤおよびパスワード、パスワード、ＱＲコード、顔認証、指紋認証、網膜認証または光彩認証を示す認証情報に対しても、サーバ２がその情報を判定することにより、適切な認証情報を使用したユーザに対して警備会社や救急サービスを行う会社等に救助や介護を要請できる。また、適切な認証情報を使用したユーザに対して、ユーザの家族や勤務先等の緊急連絡先に連絡メールを送信することができる。
【０１２２】
また、以上述べたように、本実施例のレスキュー情報システムでは、本通信システムのユーザは、常時、個人情報をデータベース１４に確保できる。加えて、その個人情報は適切な認証情報がなければ取り出せないシステムとなっているため、ユーザは、情報のセキュリティおよびユーザのプライバシーを確保できる。
【０１２３】
《第４実施例》
以下、本発明の第４実施例に係る本通信システムでの処理を示すフローチャートを図９の図面に基づいて説明する。本通信システムにおける処理が、通信端末１とサーバ２のどちらの装置で実行されているかを明示するために、通信端末１での処理をフローチャートの左側に、サーバ２での処理をフローチャートの右側に記述する。
【０１２４】
第４実施例は、第３実施例とユーザの認証方法が異なり、第２実施例での処理で使用した認証情報を使用する。第４実施例における処理は、その他の処理に関しては第３実施例における処理と同様の処理である。
【０１２５】
まず、通信端末１において、本通信システムを実施するためのプログラムを実行する（Ｓ４７）。この処理のステップは、図４にて、入力装置３の操作により選択ボタン１７Ｂが押され、レスキュー派遣依頼が選択された場合である。通信端末１は、レスキュー派遣依頼が選択された場合、レスキュー派遣依頼のプログラムを実行する。本実施例では、レスキュー派遣依頼のプログラムが実行された場合について説明する。このプログラムは演算装置４に備えられている。通信端末１のプログラムの起動は、入力装置３に対する入力によって実行される。プログラムを起動させるための入力部６に対する入力には、入力装置３に備える専用ボタンや入力装置３に備える複数のボタンの組み合わせがある。これらの入力は、入力装置３に備えるボタンを押すだけであってもよいし、出力装置５が有する表示ディスプレイに表示されるサービスメニューを入力装置３を使用して選択してもよい。
【０１２６】
図４は、プログラムの起動後、出力装置６が備える表示ディスプレイ上に表示される画面の例である。図４では、ユーザは、個人情報表示サービスを選択ボタン１７Ａを使用して選ぶことができ、また、レスキュー派遣依頼を選択ボタン１７Ｂを使用して選ぶことができる。図４では、個人情報表示サービスが選択ボタン１７Ａを通じて選択されている。第１実施例では、ユーザが個人情報表示サービスを選択した場合を説明する。
【０１２７】
ユーザが個人情報表示サービスを選択すると、本通信システムでは、次に、ユーザの認証情報の入力を受け付ける（Ｓ４８）。本通信システムでは、ユーザの認証のために、ＩＤおよびパスワード、パスワード、ＱＲコード、顔認証、指紋認証、光彩認証または網膜認証等の認証情報を利用できる。したがって、ユーザの認証方法は、出力装置６に認証方法を複数列挙して、ユーザが複数の認証方法のうちの一つを選択できるようにしてもよい
。
【０１２８】
図５は、出力装置６が備える表示ディスプレイ上に表示される認証情報の入力画面の例である。図５は、ユーザのＩＤおよびパスワードを入力するためのＩＤ入力部１８およびパスワード入力部１９を有している。ＩＤ入力部１８には、ＩＤの例として、abc12345が入力されている。また、パスワード入力部１９には、パスワードの例として、パスワードが*********という伏字になって入力されている。これらの入力はユーザによって入力装
置３を通じて行われる。
【０１２９】
また、他の認証情報の例として、ＩＤの入力を求めず、パスワードの入力のみを求めてもよい。認証情報としてパスワードのみを求めるシステムの場合、通信端末１に本通信システムを実行するプログラムをダウンロードする際、サーバ２からＩＤが付与されることにより、パスワードのみを使用した認証が可能となる。また、認証情報として、ＱＲコードを使用してもよい。また、認証情報は、顔認証、指紋認証、網膜認証または光彩認証等、本通信システムを利用しているユーザをほぼ確実に特定できる情報を含んでもよい。
【０１３０】
ステップＳ４８で入力部６に入力された認証情報は、サーバ２の判定部１２に送信される（Ｓ４９）。
【０１３１】
通信端末１から送信された認証情報は、サーバ２の判定部１２で受信される（Ｓ５０）。
【０１３２】
続いて、判定部１２は、受信した認証情報が適切であるか否かをベータベース１３に登録されている情報を基にして判定する（Ｓ５１）。
【０１３３】
判定部１２は、受信した認証情報が適切であるか否かに関する判定結果を通信端末１の確認部７に送信する（Ｓ５２）。また、判定部１２は、受信した認証情報が適切であると判定した場合、その判定結果に、ＩＤおよびパスワードを付加する。
【０１３４】
通信端末１の確認部７は、判定部１２での認証情報の判定結果を受信する。続いて、確認部７は、受信した認証情報の判定結果として、認証情報が適切であったか否かを確認する（Ｓ５３）。確認部７は、判定部１２によって認証情報が不適切であったと判定されていた場合、本通信システムにおける処理を終了する（Ｓ５３；No）。また、確認部７は、判定部１２によって認証情報が適切であったと判定されていた場合、その判定結果にはユーザのＩＤおよびパスワードが含まれている。確認部７は、図５に示されるようなＩＤおよびパスワードの入力画面を出力装置５の表示ディスプレイ上に表示すると共に、受信した判定結果に含まれるユーザのＩＤおよびパスワードを出力装置５が備えるスピーカーから音声として出力する（Ｓ５４）。
【０１３５】
確認部７は、ＩＤおよびパスワードが入力されると、入力されたＩＤおよびパスワードをサーバ２の判定部１２に送信する（Ｓ５５）。
【０１３６】
判定部１２は、確認部７が送信したＩＤおよびパスワードを受信する（Ｓ５６）。
【０１３７】
判定部１２は、受信したＩＤおよびパスワードについて、受信したパスワードが正しいかをデータベース１４を通じて判定する（Ｓ５７）。
【０１３８】
判定部１２は、ステップＳ５７で判定した判定結果を確認部７に送信する（Ｓ５８）。
【０１３９】
確認部７は、判定部１２が送信したＩＤおよびパスワードについての判定結果を受信す
る。確認部７は、ＩＤおよびパスワードについての判定結果として、送信したパスワードが間違っていると判定されていれば、本通信システムにおけるプログラムの処理を終了する（Ｓ５９；No）。
【０１４０】
確認部７は、送信したパスワードが正しいという判定結果をサーバ２から受信すると、通信端末１の位置情報の入力をユーザに促す画面を出力装置６の表示ディスプレイ上に表示する（Ｓ５９；Yes）。位置情報は、ユーザにより、入力装置３を通じて入力部４に入
力される。位置情報は、正しい住所でなくとも、通信端末１の近くにある駅、建築物、店舗、地域名等が入力されてもよい。また、通信端末１は、出力装置５の表示ディスプレイ上に地図を表示し、ユーザがその地図から通信端末１の位置情報を指定するようにしてもよい。また、通信端末１は、ＧＰＳ（Global Positioning System）等、通信端末１の位
置を自動的に特定する装置を備えてもよい。通信端末１の位置情報を自動的に特定する装置を通信端末１が備えている場合、通信端末１は、その装置による位置情報の特定結果を入力部６に自動的に入力する。入力部６は、入力された位置情報を判定部１２に送信する（Ｓ６０）。
【０１４１】
入力部６が位置情報を送信した後、通信端末１は、本通信システムのプログラムの実行を終了する（Ｓ６４）。
【０１４２】
一方、サーバ２の判定部１２は、入力部６から通信端末１の位置情報を受信する（Ｓ６１）。
【０１４３】
判定部１２は、位置情報を受信すると、データベース１４を通じて、通信端末１の位置を特定する。判定部１２は、受信した位置情報から通信端末１の位置を完全には特定できない場合、候補となる位置を複数列挙し、列挙した位置情報を通信端末１に送信してもよい。通信端末１は、いくつかの位置の候補を受信した場合、出力装置５が備える表示ディスプレイ上にその情報を列挙する。そして、出力装置５が備える表示ディスプレイ上に列挙された位置の候補の中のいくつかを、入力装置３を用いてユーザが選択できる。選択された情報は、判定部１２に送信される。
【０１４４】
判定部１２にて通信端末１の位置が特定されると、判定部１２は特定された位置情報を、警備会社や救急サービスを行う会社等が備える救急用通信装置１５に送信する（Ｓ６２）。また、判定部１２は、送信の際、ユーザの個人情報として有用なものを位置情報と共に送信してもよい。加えて、サーバ２にて通信端末１の位置が特定されなくとも、サーバ２の判定部１２は通信端末１の位置の候補となるいくつかの位置情報の全てを救急用通信装置１５に送信してもよい。
【０１４５】
次に、判定部１２は、読込部１３に連絡メールの送信するよう指令する。指令を受けた読込部１３は、データベース１４から、ユーザの認証情報に対応するユーザの家族や勤務先等の緊急連絡先の情報を読込む。続いて、読込部１１は、ユーザの緊急連絡先である緊急連絡先通信装置１６に、ユーザの緊急事態を伝える連絡メールを送信する（Ｓ６３）。また、連絡メールには、ユーザが予め登録しておいた情報を記載することができるようにしてもよい。
【０１４６】
読込部１３が連絡メールを送信した後、サーバ２は、通信端末１との通信を終了する（Ｓ６４）。
【０１４７】
以上述べたように、本実施例のレスキュー情報システムは、ユーザの身体的特徴、ユーザの所持品の特徴、または、ユーザの身体的特徴およびユーザの所持品の特徴を示す認証情報に対しても、サーバ２がその情報を判定することにより、適切な認証情報を使用した
ユーザに対して警備会社や救急サービスを行う会社等に救助や介護を要請できる。また、本実施例のレスキュー情報システムは、適切な認証情報を使用したユーザに対して、家族や勤務等の緊急連絡先に、ユーザの状況を記載した連絡メールを送信することができる。
【０１４８】
＜変形例＞
本実施例の変形例として、サーバ２は、ステップＳ５１の処理において、受信した認証情報が適切であると判定した場合、ユーザのプライバシーを守る観点から、一定期間使用可能なＩＤとパスワードとを発行し、通信端末１に送信してもよい。サーバ２が一定期間使用可能なＩＤとパスワードとを発行すると、そのＩＤとパスワードとを使用した者は、一定期間しか本通信システムのユーザの情報を知ることができなくなる。
【０１４９】
また、サーバ２は、本実施例で使用する認証情報によるユーザの認証の場合、ユーザのプライバシーを守る観点から、認証情報を送信した通信端末１からの情報のアクセスに対して一定の期間を設け、その一定期間を超えるアクセスを制限してもよい。
【０１５０】
更に、通信端末１は、ステップＳ５３で認証情報が適切であると判定された場合に、ステップＳ５４の処理には進まず、ステップ５９でパスワードが正しいと判定された場合の処理、すなわちステップＳ６０の処理を実行してもよい。上記の処理を実行した場合、通信端末１は、ＩＤおよびパスワードを入力せずとも、ユーザの身体的特徴、ユーザの所持品の特徴、ユーザの身体的特徴およびユーザの所持品の特徴を示す情報をサーバ２に送信するのみで、送信した情報が適切であれば、警備会社や救急サービスを行う会社等に救助や介護を要請でき、また、家族や勤務等の緊急連絡先に、ユーザの状況を記載した連絡メールを送信することができる。したがって、本通信システムは、上記の処理のステップを実行することにより、本通信システムの処理全体に要する時間を更に抑えることができる。
【０１５１】
《第５実施例》
以下、本発明の第５実施例に係る本通信システムでの処理を示すフローチャートを図１０の図面に基づいて説明する。本通信システムにおける処理が、通信端末１とサーバ２のどちらの装置で実行されているかを明示するために、通信端末１での処理をフローチャートの左側に、サーバ２での処理をフローチャートの右側に記述する。
【０１５２】
第５実施例は、図４のような希望するサービスをユーザに求める表示画面において、更に、レスキュー派遣依頼および個人情報表示サービスという項目を作り、その項目が選択された場合の処理の実施例である。
【０１５３】
まず、通信端末１において、本通信システムを実施するためのプログラムを実行する（Ｓ６５）。このプログラムは演算装置４に備えられている。通信端末１のプログラムの起動は、入力装置３に対する入力によって実行される。プログラムを起動させるための入力部６に対する入力には、入力装置３に備える専用ボタンや入力装置３に備える複数のボタンの組み合わせがある。これらの入力は、入力装置３に備えるボタンを押すだけであってもよいし、出力装置５が有する表示ディスプレイに表示されるサービスメニューを入力装置３を使用して選択してもよい。
【０１５４】
図４は、プログラムの起動後、出力装置６が備える表示ディスプレイ上に表示される画面の例である。図４では、ユーザは、個人情報表示サービスを選択ボタン１７Ａを使用して選ぶことができ、また、レスキュー派遣依頼を選択ボタン１７Ｂを使用して選ぶことができる。図４では、個人情報表示サービスが選択ボタン１７Ａを通じて選択されている。第１実施例では、ユーザが個人情報表示サービスを選択した場合を説明する。
【０１５５】
ユーザが個人情報表示サービスを選択すると、本通信システムでは、次に、ユーザの認証情報の入力を受け付ける（Ｓ６６）。本通信システムでは、ユーザの認証のために、ＩＤおよびパスワード、パスワード、ＱＲコード、顔認証、指紋認証、光彩認証または網膜認証等の認証情報を利用できる。したがって、ユーザの認証方法は、出力装置６に認証方法を複数列挙して、ユーザが複数の認証方法のうちの一つを選択できるようにしてもよい。
【０１５６】
図５は、出力装置６が備える表示ディスプレイ上に表示される認証情報の入力画面の例である。図５は、ユーザのＩＤおよびパスワードを入力するためのＩＤ入力部１８およびパスワード入力部１９を有している。ＩＤ入力部１８には、ＩＤの例として、abc12345が入力されている。また、パスワード入力部１９には、パスワードの例として、パスワードが*********という伏字になって入力されている。これらの入力はユーザによって入力装
置３を通じて行われる。
【０１５７】
また、他の認証情報の例として、ＩＤの入力を求めず、パスワードの入力のみを求めてもよい。認証情報としてパスワードのみを求めるシステムの場合、通信端末１に本通信システムを実行するプログラムをダウンロードする際、サーバ２からＩＤが付与されることにより、パスワードのみを使用した認証が可能となる。また、認証情報として、ＱＲコードを使用してもよい。また、認証情報は、顔認証、指紋認証、網膜認証または光彩認証等、本通信システムを利用しているユーザをほぼ確実に特定できる情報を含んでもよい。
【０１５８】
ステップＳ６６で入力部６に入力された認証情報は、サーバ２の判定部１２に送信される（Ｓ６７）。
【０１５９】
通信端末１から送信された認証情報は、サーバ２の判定部１２で受信される（Ｓ６８）。
【０１６０】
続いて、判定部１２は、受信した認証情報が適切であるか否かをベータベース１３に登録されている情報を基にして判定する（Ｓ６９）。
【０１６１】
判定部１２は、受信した認証情報が適切であるか否かに関する判定結果を通信端末１の確認部７に送信する（Ｓ７０）。
【０１６２】
通信端末１の確認部７は、判定部１２での認証情報の判定結果を受信する。続いて、確認部７は、受信した認証情報の判定結果として、認証情報が適切であったか否かを確認する（Ｓ７１）。確認部７は、判定部１２によって認証情報が不適切であったと判定されていた場合、本通信システムにおける処理を終了する（Ｓ７１；No）。
【０１６３】
確認部７は、認証情報が適切であるという判定結果を判定部１２から受信すると、通信端末１の位置情報の入力をユーザに促す画面を出力装置６の表示ディスプレイ上に表示する（Ｓ７１；Yes）。位置情報は、ユーザにより、入力装置３を通じて入力部４に入力さ
れる。位置情報は、正しい住所でなくとも、通信端末１の近くにある駅、建築物、店舗、地域名等が入力されてもよい。また、通信端末１は、出力装置５の表示ディスプレイ上に地図を表示し、ユーザがその地図から通信端末１の位置情報を指定するようにしてもよい。また、通信端末１は、ＧＰＳ（Global Positioning System）等、通信端末１の位置を
自動的に特定する装置を備えてもよい。通信端末１の位置情報を自動的に特定する装置を通信端末１が備えている場合、通信端末１は、その装置による位置情報の特定結果を入力部６に自動的に入力する。入力部６は、入力された位置情報を判定部１２に送信する（Ｓ７２）。
【０１６４】
一方、サーバ２の判定部１２は、入力部６から通信端末１の位置情報を受信する（Ｓ７３）。
【０１６５】
判定部１２は、位置情報を受信すると、データベース１４を通じて、通信端末１の位置を特定する。判定部１２は、受信した位置情報から通信端末１の位置を完全には特定できない場合、候補となる位置を複数列挙し、列挙した位置情報を通信端末１に送信してもよい。通信端末１は、いくつかの位置の候補を受信した場合、出力装置５が備える表示ディスプレイ上にその情報を列挙する。そして、出力装置５が備える表示ディスプレイ上に列挙された位置の候補の中のいくつかを、入力装置３を用いてユーザが選択できる。選択された情報は、判定部１２に送信される。
【０１６６】
判定部１２にて通信端末１の位置が特定されると、判定部１２は特定された位置情報を、警備会社や救急サービスを行う会社等が備える救急用通信装置１５に送信する（Ｓ７４）。また、判定部１２は、送信の際、ユーザの個人情報として有用なものを位置情報と共に送信してもよい。加えて、サーバ２にて通信端末１の位置が特定されなくとも、サーバ２の判定部１２は通信端末１の位置の候補となるいくつかの位置情報の全てを救急用通信装置１５に送信してもよい。
【０１６７】
次に、判定部１２は、読込部１３に連絡メールの送信するよう指令する。指令を受けた読込部１３は、データベース１４から、ユーザの認証情報に対応するユーザの家族や勤務先等の緊急連絡先の情報を読込む。続いて、読込部１１は、ユーザの緊急連絡先である緊急連絡先通信装置１６に、ユーザの緊急事態を伝える連絡メールを送信する（Ｓ７５）。また、連絡メールには、ユーザが予め登録しておいた情報を記載することができるようにしてもよい。
【０１６８】
一方、ステップＳ７２において、入力部６が位置情報を送信した後、確認部７は、図６に示すような個人情報の送信要求を選択する画面を出力装置５上のディスプレイ上に表示する。
【０１６９】
図６は、判定部１２で認証情報が適切であると判定されていた場合に、出力装置５の表示ディスプレイに表示される画面の例である。図６では、ユーザは、個人特定情報、健康管理情報および診察病歴情報を選択ボタン１７Ｃ〜１７Ｅを用いて選択することができる。図６の例では、選択ボタン１７Ｃは個人特定情報、選択ボタン１７Ｄは健康管理情報、選択ボタン１７Ｅは診察病歴情報にそれぞれ対応する。また、図５は、選択ボタン１７Ｄ、すなわち健康管理情報が選択された状態を示している。ユーザによって、個人特定情報、健康管理情報および診察病歴情報のうちのいくつかの情報が選択され、更に、入力装置３に備える情報送信用のボタンが押されると、確認部７は、選択された情報に関する送信要求を読込部１３に送信する（Ｓ７６）。
【０１７０】
サーバ２の読込部１３は、確認部７から送信された送信要求を受信する（Ｓ７７）。
【０１７１】
読込部１３は、確認部７から受信した送信要求にしたがって、ユーザが選択した個人情報をデータベース１４から読込む（Ｓ７８）。ここで、読込部１３が読込むデータは、入力部６が送出した認証情報に対応する個人情報である。
【０１７２】
読込部１３は、データベース１４から読み込んだ個人情報を取得部８に送信する（Ｓ７９）。
【０１７３】
取得部８は、送信要求に対する個人情報を読込部１３から受信する（Ｓ８０）。取得部８は、受信した個人情報を出力部９に送信する。
【０１７４】
出力部９は、取得部８から受けた個人情報を出力装置５に備える表示ディスプレイ上に表示する（Ｓ８１）。
【０１７５】
通信端末１は、受信した個人情報の表示後、入力装置３を通じて本通信システムの処理を終了する（Ｓ８２）。
【０１７６】
以上述べたように、本実施例のレスキュー情報システムは、適切な認証情報を使用したユーザに対して警備会社や救急サービスを行う会社等に救助や介護を要請できる。加えて、このレスキュー情報システムは、適切な認証情報を使用したユーザに対して、家族や勤務等の緊急連絡先に、ユーザの状況を記載した連絡メールを送信することができる。更に、このレスキュー情報システムは、連絡メールの送信後、出力装置５の表示ディスプレイ上に、サーバ２のデータベース１４に登録されているユーザの個人情報を表示できる。したがって、このレスキュー情報システムは、外出時における病気や事故等の緊急事態に、緊急事態に遭遇した者の救急や介護の依頼後、緊急連絡先に連絡をするとともに、緊急事態に遭遇した者の個人特定情報、健康管理情報および診察病歴情報を含む個人情報を医者等の医療機関関係者等に提示できる。
【０１７７】
《第６実施例》
以下、本発明の第６実施例に係る本通信システムでの処理を示すフローチャートを図１１の図面に基づいて説明する。本通信システムにおける処理が、通信端末１とサーバ２のどちらの装置で実行されているかを明示するために、通信端末１での処理をフローチャートの左側に、サーバ２での処理をフローチャートの右側に記述する。
【０１７８】
第６実施例は、図４のような希望するサービスをユーザに求める表示画面において、更に、レスキュー派遣依頼および個人情報表示サービスという項目を作り、その項目が選択された場合の処理の実施例である。
【０１７９】
まず、通信端末１において、本通信システムを実施するためのプログラムを実行する（Ｓ８３）。このプログラムは演算装置４に備えられている。通信端末１のプログラムの起動は、入力装置３に対する入力によって実行される。プログラムを起動させるための入力部６に対する入力には、入力装置３に備える専用ボタンや入力装置３に備える複数のボタンの組み合わせがある。これらの入力は、入力装置３に備えるボタンを押すだけであってもよいし、出力装置５が有する表示ディスプレイに表示されるサービスメニューを入力装置３を使用して選択してもよい。
【０１８０】
図４は、プログラムの起動後、出力装置６が備える表示ディスプレイ上に表示される画面の例である。図４では、ユーザは、個人情報表示サービスを選択ボタン１７Ａを使用して選ぶことができ、また、レスキュー派遣依頼を選択ボタン１７Ｂを使用して選ぶことができる。図４では、個人情報表示サービスが選択ボタン１７Ａを通じて選択されている。第１実施例では、ユーザが個人情報表示サービスを選択した場合を説明する。
【０１８１】
ユーザが個人情報表示サービスを選択すると、本通信システムでは、次に、ユーザの認証情報の入力を受け付ける（Ｓ８４）。本通信システムでは、ユーザの認証のために、ＩＤおよびパスワード、パスワード、ＱＲコード、顔認証、指紋認証、光彩認証または網膜認証等の認証情報を利用できる。したがって、ユーザの認証方法は、出力装置６に認証方法を複数列挙して、ユーザが複数の認証方法のうちの一つを選択できるようにしてもよい。
【０１８２】
図５は、出力装置６が備える表示ディスプレイ上に表示される認証情報の入力画面の例
である。図５は、ユーザのＩＤおよびパスワードを入力するためのＩＤ入力部１８およびパスワード入力部１９を有している。ＩＤ入力部１８には、ＩＤの例として、abc12345が入力されている。また、パスワード入力部１９には、パスワードの例として、パスワードが*********という伏字になって入力されている。これらの入力はユーザによって入力装
置３を通じて行われる。
【０１８３】
また、他の認証情報の例として、ＩＤの入力を求めず、パスワードの入力のみを求めてもよい。認証情報としてパスワードのみを求めるシステムの場合、通信端末１に本通信システムを実行するプログラムをダウンロードする際、サーバ２からＩＤが付与されることにより、パスワードのみを使用した認証が可能となる。また、認証情報として、ＱＲコードを使用してもよい。また、認証情報は、顔認証、指紋認証、網膜認証または光彩認証等、本通信システムを利用しているユーザをほぼ確実に特定できる情報を含んでもよい。
【０１８４】
ステップＳ８４で入力部６に入力された認証情報は、サーバ２の判定部１２に送信される（Ｓ８５）。
【０１８５】
通信端末１から送信された認証情報は、サーバ２の判定部１２で受信される（Ｓ８６）。
【０１８６】
続いて、判定部１２は、受信した認証情報が適切であるか否かをベータベース１３に登録されている情報を基にして判定する（Ｓ８７）。
【０１８７】
判定部１２は、受信した認証情報が適切であるか否かに関する判定結果を通信端末１の確認部７に送信する（Ｓ８８）。また、判定部１２は、受信した認証情報が適切であると判定した場合、その判定結果に、ＩＤおよびパスワードを付加する。
【０１８８】
通信端末１の確認部７は、判定部１２での認証情報の判定結果を受信する。続いて、確認部７は、受信した認証情報の判定結果として、認証情報が適切であったか否かを確認する（Ｓ８９）。確認部７は、判定部１２によって認証情報が不適切であったと判定されていた場合、本通信システムにおける処理を終了する（Ｓ８９；No）。また、確認部７は、判定部１２によって認証情報が適切であったと判定されていた場合、その判定結果にはユーザのＩＤおよびパスワードが含まれている。確認部７は、図５に示されるようなＩＤおよびパスワードの入力画面を出力装置５の表示ディスプレイ上に表示すると共に、受信した判定結果に含まれるユーザのＩＤおよびパスワードを出力装置５が備えるスピーカーから音声として出力する（Ｓ９０）。
【０１８９】
確認部７は、ＩＤおよびパスワードが入力されると、入力されたＩＤおよびパスワードをサーバ２の判定部１２に送信する（Ｓ９１）。
【０１９０】
判定部１２は、確認部７が送信したＩＤおよびパスワードを受信する（Ｓ９２）。
【０１９１】
判定部１２は、受信したＩＤおよびパスワードについて、受信したパスワードが正しいかをデータベース１４を通じて判定する（Ｓ９３）。
【０１９２】
判定部１２は、ステップＳ９３で判定した判定結果を確認部７に送信する（Ｓ９４）。
【０１９３】
確認部７は、判定部１２が送信したＩＤおよびパスワードについての判定結果を受信する。確認部７は、ＩＤおよびパスワードについての判定結果として、送信したパスワードが間違っていると判定されていれば、本通信システムにおけるプログラムの処理を終了する（Ｓ９５；No）。
【０１９４】
確認部７は、送信したパスワードが正しいという判定結果をサーバ２から受信すると、通信端末１の位置情報の入力をユーザに促す画面を出力装置６の表示ディスプレイ上に表示する（Ｓ９５；Yes）。位置情報は、ユーザにより、入力装置３を通じて入力部４に入
力される。位置情報は、正しい住所でなくとも、通信端末１の近くにある駅、建築物、店舗、地域名等が入力されてもよい。また、通信端末１は、出力装置５の表示ディスプレイ上に地図を表示し、ユーザがその地図から通信端末１の位置情報を指定するようにしてもよい。また、通信端末１は、ＧＰＳ（Global Positioning System）等、通信端末１の位
置を自動的に特定する装置を備えてもよい。通信端末１の位置情報を自動的に特定する装置を通信端末１が備えている場合、通信端末１は、その装置による位置情報の特定結果を入力部６に自動的に入力する。入力部６は、入力された位置情報を判定部１２に送信する（Ｓ９６）。
【０１９５】
一方、サーバ２の判定部１２は、入力部６から通信端末１の位置情報を受信する（Ｓ９７）。
【０１９６】
判定部１２は、位置情報を受信すると、データベース１４を通じて、通信端末１の位置を特定する。判定部１２は、受信した位置情報から通信端末１の位置を完全には特定できない場合、候補となる位置を複数列挙し、列挙した位置情報を通信端末１に送信してもよい。通信端末１は、いくつかの位置の候補を受信した場合、出力装置５が備える表示ディスプレイ上にその情報を列挙する。そして、出力装置５が備える表示ディスプレイ上に列挙された位置の候補の中のいくつかを、入力装置３を用いてユーザが選択できる。選択された情報は、判定部１２に送信される。
【０１９７】
判定部１２にて通信端末１の位置が特定されると、判定部１２は特定された位置情報を、警備会社や救急サービスを行う会社等が備える救急用通信装置１５に送信する（Ｓ９８）。また、判定部１２は、送信の際、ユーザの個人情報として有用なものを位置情報と共に送信してもよい。加えて、サーバ２にて通信端末１の位置が特定されなくとも、サーバ２の判定部１２は通信端末１の位置の候補となるいくつかの位置情報の全てを救急用通信装置１５に送信してもよい。
【０１９８】
次に、判定部１２は、読込部１３に連絡メールの送信するよう指令する。指令を受けた読込部１３は、データベース１４から、ユーザの認証情報に対応するユーザの家族や勤務先等の緊急連絡先の情報を読込む。続いて、読込部１１は、ユーザの緊急連絡先である緊急連絡先通信装置１６に、ユーザの緊急事態を伝える連絡メールを送信する（Ｓ９９）。また、連絡メールには、ユーザが予め登録しておいた情報を記載することができるようにしてもよい。
【０１９９】
一方、ステップＳ９６において、入力部６が位置情報を送信した後、確認部７は、図６に示すような個人情報の送信要求を選択する画面を出力装置５上のディスプレイ上に表示する。
【０２００】
図６は、判定部１２で認証情報が適切であると判定されていた場合に、出力装置５の表示ディスプレイに表示される画面の例である。図６では、ユーザは、個人特定情報、健康管理情報および診察病歴情報を選択ボタン１７Ｃ〜１７Ｅを用いて選択することができる。図６の例では、選択ボタン１７Ｃは個人特定情報、選択ボタン１７Ｄは健康管理情報、選択ボタン１７Ｅは診察病歴情報にそれぞれ対応する。また、図５は、選択ボタン１７Ｄ、すなわち健康管理情報が選択された状態を示している。ユーザによって、個人特定情報、健康管理情報および診察病歴情報のうちのいくつかの情報が選択され、更に、入力装置３に備える情報送信用のボタンが押されると、確認部７は、選択された情報に関する送信
要求を読込部１３に送信する（Ｓ１００）。
【０２０１】
サーバ２の読込部１３は、確認部７から送信された送信要求を受信する（Ｓ１０１）。
【０２０２】
読込部１３は、確認部７から受信した送信要求にしたがって、ユーザが選択した個人情報をデータベース１４から読込む（Ｓ１０２）。ここで、読込部１３が読込むデータは、入力部６が送出した認証情報に対応する個人情報である。
【０２０３】
読込部１３は、データベース１４から読み込んだ個人情報を取得部８に送信する（Ｓ１０３）。
【０２０４】
取得部８は、送信要求に対する個人情報を読込部１３から受信する（Ｓ１０４）。取得部８は、受信した個人情報を出力部９に送信する。
【０２０５】
出力部９は、取得部８から受けた個人情報を出力装置５に備える表示ディスプレイ上に表示する（Ｓ１０５）。
【０２０６】
通信端末１は、受信した個人情報の表示後、入力装置３を通じて本通信システムの処理を終了する（Ｓ１０６）。
【０２０７】
以上述べたように、本実施例のレスキュー情報システムは、適切な特徴情報を使用したユーザに対して警備会社や救急サービスを行う会社等に救助や介護を要請できる。加えて、このレスキュー情報システムは、適切な特徴情報を使用したユーザに対して、家族や勤務等の緊急連絡先に、ユーザの状況を記載した連絡メールを送信することができる。更に、このレスキュー情報システムは、連絡メールの送信後、出力装置５の表示ディスプレイ上に、サーバ２のデータベース１４に登録されているユーザの情報を表示できる。したがって、このレスキュー情報システムは、外出時における病気や事故等の緊急事態に、緊急事態に遭遇した者の救急や介護の依頼後、緊急連絡先に連絡をするとともに、緊急事態に遭遇した者の個人特定情報、健康管理情報および診察病歴情報を含む個人情報を医者等の医療機関関係者等に提示できる。
【０２０８】
＜変形例＞
本実施例の変形例として、サーバ２は、ステップＳ８７の処理において、受信した認証情報が適切であると判定した場合、ユーザのプライバシーを守る観点から、一定期間使用可能なＩＤとパスワードとを発行し、通信端末１に送信してもよい。サーバ２が一定期間使用可能なＩＤとパスワードとを発行すると、そのＩＤとパスワードとを使用した者は、一定期間しか本通信システムのユーザの情報を知ることができなくなる。
【０２０９】
また、サーバ２は、本実施例で使用する認証情報によるユーザの認証の場合、ユーザのプライバシーを守る観点から、認証情報を送信した通信端末１からの情報のアクセスに対して一定の期間を設け、その一定期間を超えるアクセスを制限してもよい。
【０２１０】
更に、通信端末１は、ステップＳ８９で認証情報が適切であると判定された場合に、ステップＳ９０の処理には進まず、ステップ９５でパスワードが正しいと判定された場合の処理、すなわちステップＳ９６の処理を実行してもよい。上記の処理を実行した場合、通信端末１は、ＩＤおよびパスワードを入力せずとも、ユーザの身体的特徴、ユーザの所持品の特徴、ユーザの身体的特徴およびユーザの所持品の特徴を示す情報をサーバ２に送信するのみで、送信した情報が適切であれば、警備会社や救急サービスを行う会社等に救助や介護を要請でき、家族や勤務等の緊急連絡先にユーザの状況を記載した連絡メールを送信することができ、更に、出力装置５の表示ディスプレイ上に個人情報を表示できる。し
たがって、本通信システムは、上記の処理のステップを実行することにより、本通信システムの処理全体に要する時間を更に抑えることができる。
【図面の簡単な説明】
【０２１１】
【図１】本発明の実施形態の通信システムの構成図である。
【図２】データベースの構成を示す図である。
【図３】本発明の第１実施例に係る通信システムの処理を示すフローチャートである。
【図４】サービスの選択画面を示す図である。
【図５】認証情報の入力画面を示す図である。
【図６】ユーザの個人情報の種類を選択する画面を示す図である。
【図７】本発明の第２実施例に係る通信システムの処理を示すフローチャートである。
【図８】本発明の第３実施例に係る通信システムの処理を示すフローチャートである。
【図９】本発明の第４実施例に係る通信システムの処理を示すフローチャートである。
【図１０】本発明の第５実施例に係る通信システムの処理を示すフローチャートである。
【図１１】本発明の第６実施例に係る通信システムの処理を示すフローチャートである。
【符号の説明】
【０２１２】
１  通信端末
２  サーバ
３  入力装置
４  演算装置
５  出力装置
６  入力部
７  確認部
８  取得部
９  出力部
１０  演算装置
１１  記憶媒体
１２  判定部
１３  読込部
１４  データベース
１５  救急用通信装置
１６  緊急連絡先通信装置
１７Ａ〜１７Ｅ  選択ボタン
１８  ＩＤ入力部
１９  パスワード入力部
【図１】
2007034798.tif 000003
【図２】
2007034798.tif 000004
【図３】
2007034798.tif 000005
【図４】
2007034798.tif 000006
【図５】
2007034798.tif 000007
【図６】
2007034798.tif 000008
【図７】
2007034798.tif 000009
【図８】
2007034798.tif 000010
【図９】
2007034798.tif 000011
【図１０】
2007034798.tif 000012
【図１１】
2007034798.tif 000013